(57)【要約】本発明は、蓋（２）と、基部（５）と、蓋（２）と基部（５）との間に挿入された平皿（３）と、蓋（２）と基部（５）を閉位置で堅固に接続するロッキングシステム（９）とを備え、蓋（２）が平皿（３）に関してヒンジ（４）によって回転可能に関節結合された筐体（１０）であって、平皿（３）が基部（５）の上に滑動可能に載置されることで蓋の並進移動が可能になり、ロッキングシステム（９）が開放されることを特徴とする筐体（１０）に関する。【選択図】図１
2012517253.tif 000002
【特許請求の範囲】
【請求項１】
蓋（２）と、基部（５）と、蓋（２）と基部（５）との間に挿入された平皿（３）と、蓋（２）と基部（５）を閉位置で固定して接続するロッキングシステム（９）とを備え、蓋（２）が、平皿（３）に関してヒンジ（４）によって回転可能に関節結合された筐体（１０）であって、
平皿（３）が基部（５）の上に滑動可能に載置されることで蓋（２）の並進移動が可能であり、蓋（２）上に働く力が、平皿（３）を第一の位置から第二の開位置に滑動させ、ロッキングシステム（９）を開放する
ことを特徴とする筐体（１０）。
【請求項２】
ロッキングシステム（９）が、基部（５）上に形成された突起（７）によって形成され、突起（７）が蓋（２）上に形成されたフック（８）と協働する
請求項１に記載の筐体（１０）。
【請求項３】
基部（５）が、平皿（３）の突起と協働する溝を有し、平皿（３）が溝の中で滑動する
請求項１または２に記載の筐体（１０）。
【請求項４】
筐体（１０）が、平皿（３）の位置を第一の位置に戻す弾性手段を有する
請求項１ないし３のいずれかに記載の筐体（１０）。
【請求項５】
ヒンジ（４）が、蓋（２）の回転を開始及び／または抑制するための弾性手段及び／または妨害手段を有する
請求項１ないし４のいずれかに記載の筐体（１０）。
【請求項６】
ヒンジ（４）が、蓋（２）の回転を阻止するストッパを有する
請求項１ないし５のいずれかに記載の筐体（１０）。
【請求項７】
平皿（３）が、化粧品を受容するのに適した少なくとも一つの区画（１）を有する
請求項１ないし６のいずれかに記載の筐体（１０）。
【請求項８】
一つまたは複数の物品、好ましくは、メガネ類、腕時計、宝石または皮革製品を受容するのに適している
請求項１ないし７のいずれかに記載の筐体（１０）。
【請求項９】
平皿（３）及び／または蓋（２）が、携帯電子装置、好ましくは、携帯電話、ナビゲーター、パーソナル音楽プレーヤー、ｍｐ３リーダーのコンポーネントを有する
請求項１ないし８のいずれかに記載の筐体（１０）。
【請求項１０】
プラスチック材料、ザマック、金属、合金あるいは材料の組み合わせから作成された
請求項１ないし７のいずれかに記載の筐体（１０）。
【発明の詳細な説明】
【技術分野】
【０００１】
本発明は、開放が改良された筐体、特に、化粧品、日用品、あるいは携帯電子機器を収納するのに適した筐体に関する。
【０００２】
特に、本発明は、ヒンジによって関節結合された二つの部分から形成され、その二つの部分のうち一方は蓋を構成し、他方は筐体の底部を構成し、特に、メークアップ化粧品を収納するのに適した筐体を提供する。
【０００３】
このような筐体の底部は、既知の方法で、内部空間を作る一個の中空ピースから形成されてもよい。
【背景技術】
【０００４】
この種の筐体は、蓋の端部に設けられた要素と、ヒンジの反対側にある筐体の底部に設けられた要素とから構成される固定システムの助けで閉じることが知られている。この蓋の端に設けられた要素は、筐体底部の結合開口部と協働するフックであってもよい。この底部の結合部は補助ピースによって作成され、この補助ピースは、筐体底部に形成されるガイドまたは溝の間で滑動しやすく、引き出しと称されることが多い。この引き出しは、引き出しの上に設置され、外部から接近可能な作動手段上において、手動で、引き出しの上に設置されて引き出しが休止位置に戻るのを可能にする弾性戻し手段によって滑動する。
【発明の概要】
【発明が解決しようとする課題】
【０００５】
引き出しの滑動中に引き出しが引っかかったり擦れたりする危険があったり、弾性戻し手段が引き出しに十分な通り道を提供していないことで、筐体を開くことが困難になったりするため、一般的に、この種の筐体を開くことは、使用者にとって必ずしも容易ではない。
【０００６】
さらに、この種の設計は複数の複雑なピースの作成を必要とし、特に、引き出しを滑動させるための弾性戻し手段を特別に筐体の底部に配置する場合には、製造コストの上昇を招く。
【０００７】
これに関連して、本発明は、単純かつ見た目にも美しい設計の筐体を提案し、複雑なピースを用いる必要性を除去し、また、筐体を準備するに当たり必要なピースの数を減少させることによって、これらの不利を回避することを課題とする。
【課題を解決するための手段】
【０００８】
本発明は、蓋と、基部と、蓋と基部との間に挿入された平皿と、蓋と基部を閉位置で固定して接続するロッキングシステムとを備え、蓋が、平皿に関してヒンジによって回転可能に関節結合された筐体であって、平皿が基部の上に滑動可能に載置されることで、蓋の並進移動が可能になり、ロッキングシステムが開放されることを特徴とする筐体を提供する。蓋に与えられた力によって、平皿は第一の位置から第二の開位置まで滑動する。
【０００９】
「平皿」という用語は、特に、化粧品、また、例えば、メガネ類、腕時計、宝石または皮革製品などの小物類、あるいは、電話、パーソナル音楽プレーヤー、ｍｐ３リーダー、またはナビゲーターなどの携帯電子装置のコンポーネントを受容する容器の支持あるいは容器との一体化が可能な要素を指す。このような容器はまた、平皿と一体化していてもよい。
【００１０】
本発明によると、複雑な閉機構を用いる必要性を排除し、筐体を形成する様々な部分の形状を単純化し、またその一方で、見た目に美しく、かつ使用者が容易に使用できる開機構を提供することが可能となる。
【００１１】
本発明による筐体は、先の段落で述べた主要な特徴に加えて、一つ、あるいは複数の以下の特徴のうち個々の特徴から、あるいは任意の技術的に可能な組み合わせから構成されてもよい。
−固定システムが基部上に配置された突起によって形成され、突起は蓋上に配置されたフックと協働する；
−基部が、平皿の突起と協働する溝を有し、その結果、平皿が溝の中で滑動する；
−筐体が、平皿の位置を第一の位置に戻すのに適した弾性手段を有する；
−ヒンジが、蓋の回転を開始する及び／または抑制するための弾性手段及び／または妨害手段を有する；
−ヒンジが、蓋の回転を阻止するストッパを有する；
平皿が、化粧品を受容するのに適した少なくとも一つの区画かを有する；
−筐体が、一つまたは複数の物品、特にメガネ類、鏡、宝石または皮革製品を受容するのに適している；
−平皿及び／または蓋が、携帯電子装置、特に、携帯電話、ナビゲーター、パーソナル音楽プレーヤー、またはｍｐ３リーダーなどの携帯電子装置のコンポーネントを有する；
−筐体が、プラスチック材料、ザマック、金属、合金あるいは材料の組み合わせから作成される。
【００１２】
本発明の他の特徴及び利点は、添付の図面を参照し、限定を意図していない以下の実施例の記載からより明白になる。
【図面の簡単な説明】
【００１３】
【図１】本発明による化粧品を収納するのに適した筐体の閉位置での斜視図
【図２】本発明による化粧品を収納するのに適した筐体のロックされた位置での一部斜視図
【図３】本発明による化粧品を収納するのに適した筐体の開位置での斜視図
【発明を実施するための形態】
【００１４】
各図面において、共通の要素には同一の参照番号が付される。
【００１５】
「内部」、「外部」、「前」、「後ろ」等の方向や位置の概念は、実際に様々な要素を筐体の中に置く場合、それらの配置の仕方を古典的に記述したものである。
【００１６】
図１〜３に示した化粧品を収納するのに適した筐体は、本出願を通して参照番号１０で示される。
【００１７】
筐体１０は、平皿３に関してヒンジ４によって回転可能に載置された蓋２と共に形成される。化粧品、例えばファンデーションを収納するのに適した区画１が、平皿３に彫られている。
【００１８】
図示された実施形態によれば、平皿３はさらに、塗布器、例えばブラシなどを収納するのに適した深さの第二の区画１１を有する。
【００１９】
本発明の異なる実施の形態によれば、筐体１０の平皿３は、種々の化粧品、または他の関連要素を収納するための、種々の深さの異なる区画を有してもよい。
【００２０】
筐体１０はさらに、二枚の平坦な側壁１８と前壁１６で構成された長方形の平面１５によって形成される基部５を有する。
【００２１】
基部５の、ヒンジ４の反対側の側面上で、前壁１６は上端部の中央に刻み目を有し、その刻み目において、「半円の」突起部７は基部５の内部に向かう突起を形成する。
【００２２】
平皿３は、基部５の内部に、筐体１０の長手方向に滑動可能に設けられ、基部５の側壁１８と前壁１６は平皿３の動きを制限する。
【００２３】
平皿３は、平皿３が基部５の前壁１６と接触する第一の位置と、基部５と平皿３の間の筐体の内部のストッパによって定義された第二の位置との間で、基部５上を滑動することによって動く。
【００２４】
平皿３はさらに、平皿３に固定して接続された、基部の溝の中を移動する突起によって形成された固定手段などの、基部５上で３を維持するための手段を有する。本発明の有利な態様によると、平皿３は、基部の側壁１８上で平皿３の滑動方向に作成された縦溝と協働する二本のピンを、側壁の外表面上に有し、平皿３はあらかじめ強制的に基部５上に組み立てられている。
【００２５】
平皿３の滑動によって蓋２が動き、ヒンジ４は平皿３と蓋２の間に接続手段を構成する。
【００２６】
筐体１０の閉位置では、図１に示されるように、平皿３は、平皿３の前壁が基部５の前壁１６と接触する第一の位置にある。
【００２７】
蓋２は、平坦な側壁２２が設けられた長方形の平面２１によって形成され、前壁１２と後壁２４は平面２１に対し垂直である。
【００２８】
本発明の一つの実施形態によれば、平面２１は、全体的にまたは部分的に平面２１を覆う物体鏡などの反射手段を有してもよい。
【００２９】
蓋２の、ヒンジ４の反対側の側面において、前壁１２は、蓋２の低端部２３の途中に彫られた突起８を有してもよく、この突起８の凹部は、「半円の」突起部７と協働するために、蓋２の外部に向かって方向づけられる。
【００３０】
閉位置において、図１に示されるように、フック８と突起部７が協働して、筐体１０の閉鎖手段９を形成し、蓋２を基部５に固定して接続させる。
【００３１】
筐体１０を開こうとするとき、使用者は、蓋２の前壁１２を、筐体１０の中間の平面と平行に筐体１０の後部に向けて、すなわちヒンジ４に向けて押し込む。
【００３２】
蓋２上に作用する力によって、平皿３は、その前壁が基部の前壁１７に接触している元の場所から第二の開位置に向かって滑動する。
【００３３】
平皿３の後部に向かって滑動させると、フック８と突起部７によって作成された閉鎖手段９は離脱して、蓋２を開放して筐体１０を開ける。図２は特に、蓋２と平皿３を筐体１０の後部に向かって移動させることによって閉鎖手段９を離脱させることを示している。
【００３４】
筐体１０の蓋２の回転は、外部からの介入なしで、例えば、ヒンジ４と協働するコイル状のバネなどの弾性手段によって行われ、蓋２の回転は、筐体１０が見た目にも美しい開き方となり、使用者に滑らかで優美な印象を与えるように、ヒンジ４内に構成された妨害手段によって抑制される。
【００３５】
蓋２の回転はヒンジ４に組み込まれたストッパで止められ、上述の弾性手段によって、筐体１０を、図３で示されるような開位置に維持することが可能になる。
【００３６】
筐体１０を再度閉じる場合、使用者はまず、基部５上で蓋２を閉じ、次に、蓋２のフック８が基部５の突起７と協働するまで、筐体１０の前方向に向かって開方向の反対方向に力をかける。
【００３７】
本発明による筐体１０は、外部からの介入がない場合、平皿３を第一の位置となりうる基準位置に位置づけするために、例えば、基部５の側壁の溝におけるバネタイプの弾性手段を有してもよい。
【００３８】
弾性手段はこのようにして、基部５における平皿３の所望しない動きを回避し、筐体１０を頑丈そうに見せ、その品質の向上に寄与する。
【図１】
2012517253.tif 000003
【図２】
2012517253.tif 000004
【図３】
2012517253.tif 000005
【国際調査報告】
2012517253.tif 000006
2012517253.tif 000007
2012517253.tif 000008
2012517253.tif 000009